(57)【要約】  光学素子１は、表面２ａに凹部３が形成された基材２と、基材２上に配置された成形層４と、を備えている。成形層４は、凹部３の深さ方向から見た場合に凹部３内に位置する本体部５、及び本体部５と繋がった状態で基材２の表面２ａ上に位置する乗上げ部６を有している。本体部５において凹部３の底面３ｂと対向する曲面４ｂには、光学機能部１０が設けられている。
2012108457.tif 000002
【特許請求の範囲】
【請求項１】
表面に凹部が形成された基材と、
前記基材上に配置された成形層と、を備え、
前記成形層は、前記凹部の深さ方向から見た場合に前記凹部内に位置する第１の部分、及び前記第１の部分と繋がった状態で前記基材の前記表面上に位置する第２の部分を有し、
前記第１の部分において前記凹部の内面と対向する所定の面には、光学機能部が設けられている、光学素子。
【請求項２】
前記第２の部分は、前記凹部を挟んで対向するように複数設けられている、請求項１記載の光学素子。
【請求項３】
前記第２の部分は、前記凹部を包囲するように複数設けられている、請求項１又は２記載の光学素子。
【請求項４】
前記光学機能部は、グレーティングである、請求項１〜３のいずれか一項記載の光学素子。
【請求項５】
前記光学機能部は、ミラーである、請求項１〜３のいずれか一項記載の光学素子。
【請求項６】
表面に凹部が形成された基材を準備する工程と、
前記基材上に成形材料を配置する工程と、
前記成形材料に成形型を押し当て、前記成形材料を硬化させることにより、前記凹部の深さ方向から見た場合に前記凹部内に位置する第１の部分、及び前記第１の部分と繋がった状態で前記基材の前記表面上に位置する第２の部分を有する成形層を形成する工程と、を備え、
前記成形型は、光学機能部が設けられる所定の面を、前記凹部の内面と対向するように前記第１の部分に形成するための成形面を有する、光学素子の製造方法。
【請求項７】
前記成形面は、前記成形型が前記成形材料に押し当てられたときに、前記凹部の開口と断続的に接触するように形成されている、請求項６記載の光学素子の製造方法。
【発明の詳細な説明】
【技術分野】
【０００１】
本発明は、光学素子及びその製造方法に関する。
【背景技術】
【０００２】
従来の光学素子の製造方法として、基材の凹部内に配置された樹脂材料に成形型を押し当て、その樹脂材料を硬化させることにより、グレーティング等の光学機能部が設けられる成形層を基材の凹部内に形成する方法が知られている（例えば特許文献１〜５参照）。
【先行技術文献】
【特許文献】
【０００３】
【特許文献１】特開２００６−１７７９９４号公報
【特許文献２】特開２００７−１９９５４０号公報
【特許文献３】特開２００３−２６６４５０号公報
【特許文献４】特開２００５−１７３５９７号公報
【特許文献５】特表２００５−５２０２１３号公報
【発明の概要】
【発明が解決しようとする課題】
【０００４】
しかしながら、上述したような方法で製造された光学素子にあっては、成形層の全体が基材の凹部内に位置しており、しかも、使用時の温度変化等によって発生する応力が基材の凹部に集中するため、基材から成形層が剥離するおそれがある。さらに、使用時の温度変化等に起因する成形層の収縮や膨張によって、成形層に設けられた光学機能部が変形するおそれがある。【０００５】
そこで、本発明は、成形層の剥離や光学機能部の変形を防止することができる光学素子及びその製造方法を提供することを目的とする。
【課題を解決するための手段】
【０００６】
本発明の一観点の光学素子は、表面に凹部が形成された基材と、基材上に配置された成形層と、を備え、成形層は、凹部の深さ方向から見た場合に凹部内に位置する第１の部分、及び第１の部分と繋がった状態で基材の表面上に位置する第２の部分を有し、第１の部分において凹部の内面と対向する所定の面には、光学機能部が設けられている。【０００７】
この光学素子では、使用時の温度変化等によって発生する応力が基材の凹部に集中しても、第１の部分と繋がった状態で基材の表面上に位置する第２の部分によって、基材の凹部内に位置する第１の部分が押え付けられる。これにより、基材からの成形層の剥離が防止される。さらに、使用時の温度変化等に起因する成形層の収縮や膨張が、基材の表面上に位置する第２の部分に吸収されて、基材の凹部内に位置する第１の部分の収縮や膨張が緩和される。これにより、第１の部分の所定の面の変形が防止され、延いてはその所定の面に設けられた光学機能部の変形が防止される。以上のように、この光学素子によれば、成形層の剥離や光学機能部の変形を防止することできる。【０００８】
ここで、第２の部分は、凹部を挟んで対向するように複数設けられていてもよい。さらに、第２の部分は、凹部を包囲するように複数設けられていてもよい。これらによれば、成形層の剥離や光学機能部の変形をより確実に防止することができる。【０００９】
また、光学機能部は、グレーティングであってもよい。或いは、光学機能部は、ミラーであってもよい。これらによれば、簡易な構成のグレーティング素子やミラー素子を得ることができる。【００１０】
本発明の一観点の光学素子の製造方法は、表面に凹部が形成された基材を準備する工程と、基材上に成形材料を配置する工程と、成形材料に成形型を押し当て、成形材料を硬化させることにより、凹部の深さ方向から見た場合に凹部内に位置する第１の部分、及び第１の部分と繋がった状態で基材の表面上に位置する第２の部分を有する成形層を形成する工程と、を備え、成形型は、光学機能部が設けられる所定の面を、凹部の内面と対向するように第１の部分に形成するための成形面を有する。【００１１】
この光学素子の製造方法では、硬化時に成形材料が収縮しても、第１の部分と繋がった状態で基材の表面上に位置する第２の部分が第１の部分に優先して収縮するため、基材の凹部内に位置する第１の部分の収縮が緩和される。これにより、第１の部分の所定の面の変形が防止され、延いてはその所定の面に設けられる光学機能部の変形が防止される。さらに、製造時の温度変化等によって発生する応力が基材の凹部に集中しても、基材の表面上に位置する第２の部分によって、基材の凹部内に位置する第１の部分が押え付けられる。これにより、基材からの成形層の剥離が防止される。以上のように、この光学素子の製造方法によれば、成形層の剥離や光学機能部の変形を防止することができる。【００１２】
ここで、成形面は、成形型が成形材料に押し当てられたときに、凹部の開口と断続的に接触するように形成されていてもよい。これによれば、硬化時に成形材料からガスが発生しても、そのガスが、成形型の成形面と凹部の開口との非接触部分から逃がされるので、成形層にボイドが形成されるのを防止することができる。
【発明の効果】
【００１３】
本発明によれば、成形層の剥離や光学機能部の変形を防止することができる。
【図面の簡単な説明】
【００１４】
【図１】本発明の第１の実施形態の光学素子の平面図である。
【図２】図１のII−II線に沿っての光学素子の端面図である。
【図３】図１のIII−III線に沿っての光学素子の端面図である。
【図４】図１の光学素子の製造方法の一工程における基板の平面図である。
【図５】図４の後の工程における基板の平面図である。
【図６】図５のVI−VI線に沿っての基板の断面図である。
【図７】図５の後の工程における基板の平面図である。
【図８】本発明の第２の実施形態の光学素子の平面図である。
【図９】図８のIX−IX線に沿っての光学素子の端面図である。
【図１０】図８のX−X線に沿っての光学素子の端面図である。
【図１１】本発明の第３の実施形態の光学素子の縦断面図である。
【図１２】本発明の第４の実施形態の光学素子の平面図である。
【図１３】図１２のXIII−XIII線に沿っての光学素子の端面図である。
【図１４】図１２のXIV−XIV線に沿っての光学素子の端面図である。
【図１５】本発明の第５の実施形態の光学素子の平面図である。
【図１６】図１５のXVI−XVI線に沿っての光学素子の端面図である。
【図１７】図１５のXVII−XVII線に沿っての光学素子の端面図である。
【図１８】図１５の光学素子の製造方法の一工程における基板の断面図である。
【発明を実施するための形態】
【００１５】
以下、本発明の好適な実施形態について、図面を参照して詳細に説明する。なお、各図において同一又は相当部分には同一符号を付し、重複する説明を省略する。
［第１の実施形態］
【００１６】
図１、図２及び図３に示されるように、第１の実施形態の光学素子１は、反射型グレーティングである光学機能部１０を有している。光学機能部１０は、一方の側から入射した光Ｌを分光して反射する。光学素子１は、シリコン、プラスチック、セラミック又はガラス等からなる正方形板状（例えば、外形１２ｍｍ×１２ｍｍ、厚さ０．６ｍｍ）の基材２を備えている。基材２の表面２ａには、開口３ａに向かって末広がりとなる正四角錐台状の凹部３が形成されている。なお、基材２の材料には、前述した材料に限らず、様々な材料を適用することができる。また、基材２及び凹部３の形状には、前述した形状に限らず、様々の形状を適用することができる。ただし、後述する成形層４の剥離や光学機能部１０の変形をより確実に防止するために、凹部３の開口形状は、凹部３の深さ方向から見た場合に凹部３の中心点に関して点対称の形状であることが好ましい。
【００１７】
基材２上には、光硬化性のエポキシ樹脂、アクリル樹脂、フッ素系樹脂、シリコーン又は有機無機ハイブリッド樹脂等のレプリカ用光学樹脂を光硬化させることによって形成された成形層４が配置されている。成形層４は、凹部３の深さ方向（すなわち、一方の側）から見た場合に円形状となっており、成形層４の外縁４ａは、正方形状の開口３ａの各頂点を通っている。なお、成形層４の材料には、前述した光硬化性の樹脂材料に限らず、熱硬化性の樹脂材料、又は低融点ガラスや有機無機ハイブリッドガラス等、後述する成形型３０による成形及び硬化が可能な様々な材料（成形材料）を適用することができる。
【００１８】
成形層４は、一体的に形成された本体部（第１の部分）５及び乗上げ部（第２の部分）６を有している。本体部５は、凹部３の深さ方向から見た場合に凹部３内に位置しており、凹部３の底面３ｂ及び側面３ｃの全体を覆っている。乗上げ部６は、本体部５と繋がった状態で基材２の表面２ａ上に位置しており、正方形状の開口３ａの各辺の外側に設けられている。つまり、乗上げ部６は、凹部３を挟んで対向しかつ凹部３を包囲するように複数設けられている。
【００１９】
成形層４は、凹部３の所定の内面である底面３ｂと対向する凹状の曲面（所定の面）４ｂを有している。曲面４ｂは、凹部３の底面３ｂの中心に向かって凹んだ曲面であり、正方形状の開口３ａの各辺の中点を通って、本体部５から各乗上げ部６に至っている。曲面４ｂにおける本体部５上の所定の領域には、鋸歯状断面のブレーズドグレーティング、矩形状断面のバイナリグレーティング、又は正弦波状断面のホログラフィックグレーティング等に対応するグレーティングパターンが形成されている。
【００２０】
成形層４の曲面４ｂ上には、ＡｌやＡｕ等の蒸着膜である反射膜７が形成されている。反射膜７は、曲面４ｂにおける本体部５上の所定の領域ではグレーティングパターンに対応するように形成されており、この部分が、反射型グレーティングである光学機能部１０となっている。なお、反射膜７の材料には、前述した材料に限らず、様々な材料を適用することができる。
【００２１】
以上説明したように、第１の実施形態の光学素子１では、使用時の温度変化等によって発生する応力が基材２の凹部３に集中しても、本体部５と繋がった状態で基材２の表面２ａ上に位置する乗上げ部６によって、基材２の凹部３内に位置する本体部５が押え付けられる。この作用には、乗上げ部６が位置する表面２ａが、凹部３の側面（内面）３ｃと不連続な面（ここでは、平坦面）となっていることが寄与している。しかも、乗上げ部６が、凹部３を挟んで対向しかつ凹部３を包囲するように複数設けられているので、本体部５が周囲から均一に押さえ付けられることになる。これにより、基材２からの成形層４の剥離が確実に防止される。さらに、使用時の温度変化等に起因する成形層４の収縮や膨張が、基材２の表面２ａ上に位置する乗上げ部６に吸収されて、基材２の凹部３内に位置する本体部５の収縮や膨張が緩和される。しかも、乗上げ部６が、凹部３を挟んで対向しかつ凹部３を包囲するように複数設けられているので、本体部５の収縮や膨張が均一に緩和されることになる。これにより、本体部５の曲面４ｂの変形が確実に防止され、延いてはその曲面４ｂに設けられた光学機能部１０の変形が確実に防止される。よって、第１の実施形態の光学素子１によれば、簡易な構成で、成形層４の剥離や光学機能部１０の変形を確実に防止することできる。
【００２２】
また、光学機能部１０が設けられる面が、凹部３の底面３ｂと対向するように成形層４に形成された曲面４ｂであるため、成形層４を薄くして、使用時の温度変化等に起因する成形層４の収縮や膨張自体を抑制することができる。
【００２３】
次に、上述した光学素子１の製造方法について説明する。まず、図４に示されるように、例えばシリコンからなる基板２０を用意する。基板２０は、格子状に切断（ダイシング）することにより複数の基材２となるものである。そして、基板２０の表面２０ａに、基材２の表面２ａごとに、エッチング等により凹部３を形成する。これにより、表面２ａに凹部３が形成された基材２が複数準備されたことになる。続いて、基板２０の表面２０ａに、基材２の凹部３ごとに、成形層４となる成形材料（ここでは、光硬化性の樹脂材料）を配置する。これにより、複数の基材２上に成形材料が配置されたことになる。
【００２４】
続いて、図５及び図６に示されるように、基材２の凹部３ごとに成形材料に成形型３０を押し当てる。そして、その状態で、成形材料を光硬化させるための光（例えば紫外線等）を成形型３０に透過させて成形材料に照射し、成形材料を硬化させることにより、本体部５及び乗上げ部６を有する成形層４を形成する。さらに、成形層４から成形型３０を離型させた後に、成形層４を熱硬化させてもよい。なお、成形材料を光硬化させるための光に対して基材２が透過性を有していれば、その光を基材２に透過させて成形材料に照射してもよい。また、成形材料の硬化方法には、光硬化に限らず、成形材料の種類に応じて熱硬化等の様々な硬化方法を適用することができる。
【００２５】
成形型３０は、光学機能部１０が設けられる曲面４ｂを、凹部３の底面３ｂと対向するように本体部５及び乗上げ部６に形成するための成形面３０ａを有している。成形面３０ａは、成形型３０が成形材料に押し当てられたときに、凹部３の開口３ａと断続的に接触するように形成されている。ここでは、成形面３０ａは、曲面４ｂと相補関係を有する凸状の曲面であり、正方形状の開口３ａの各辺の中点に接触する。
【００２６】
続いて、図７に示されるように、ＡｌやＡｕ等を蒸着することにより、成形層４の曲面４ｂ上に反射膜７を形成し、曲面４ｂごとに光学機能部１０を設ける。この蒸着は、必要に応じて、曲面４ｂの全面又は曲面４ｂの任意の範囲（マスク蒸着）に対して行われる。そして、基板２０を格子状に切断（ダイシング）して、グレーティング素子である光学素子１を複数得る。
【００２７】
以上説明したように、光学素子１の製造方法では、硬化時に成形材料が収縮しても、本体部５と繋がった状態で基材２の表面２ａ上に位置する乗上げ部６が本体部５に優先して収縮するため、基材２の凹部３内に位置する本体部５の収縮が緩和される。しかも、乗上げ部６が、凹部３を挟んで対向しかつ凹部３を包囲するように複数設けられているので、本体部５の収縮が均一に緩和されることになる。これにより、本体部５の曲面４ｂの変形が確実に防止され、延いてはその曲面４ｂに設けられる光学機能部１０の変形が確実に防止される。さらに、製造時の温度変化等によって発生する応力が基材２の凹部３に集中しても、基材２の表面２ａ上に位置する乗上げ部６によって、基材２の凹部３内に位置する本体部５が押え付けられる。しかも、乗上げ部６が、凹部３を挟んで対向しかつ凹部３を包囲するように複数設けられているので、本体部５が周囲から均一に押さえ付けられることになる。これにより、基材２からの成形層４の剥離が確実に防止される。よって、光学素子１の製造方法によれば、成形層４の剥離や光学機能部１０の変形を確実に防止することができる。
【００２８】
また、成形型３０の成形面３０ａは、成形型３０が成形材料に押し当てられたときに、凹部３の開口３ａと断続的に接触するように形成されている。これによれば、硬化時に成形材料からガスが発生しても、そのガスが、成形型３０の成形面３０ａと凹部３の開口３ａとの非接触部分から逃がされるので、成形層４にボイドが形成されるのを防止することができる。
【００２９】
また、成形型３０が成形材料に押し当てられたときに、凹部３内の成形材料に十分な圧力が加わるので、曲面４ｂにおける本体部５上の所定の領域にグレーティングパターンを安定的にかつ精度良く形成することができる。
【００３０】
また、成形型３０が成形材料に押し当てられたときに、成形型３０の成形面３０ａが凹部３の開口３ａと複数の点で接触するため、成形型３０の高さ方向（すなわち、凹部３の深さ方向）の位置決めを容易にかつ確実に行うことができる。さらに、グレーティングパターンを転写するための成形面３０ａのパターンが凹部３の底面３ｂに接触するような事態も防止される。
【００３１】
また、上述した光学素子１の製造方法によれば、表面２ａに凹部３が形成された一種類の基材２に対して、曲率の異なる成形面３０ａを有するもの等、複数種類の成形型３０を適用して、複数種類の光学素子１を製造することができる。
［第２の実施形態］
【００３２】
図８、図９及び図１０に示されるように、第２の実施形態の光学素子１は、成形層４の本体部５が凹部３の底面３ｂ及び側面３ｃの全体を覆っていない点で、上述した第１の実施形態の光学素子１と主に相違している。第２の実施形態の光学素子１では、本体部５は、凹部３の各隅部で引いた状態となっている。これは、成形材料が硬化するときに、成形型３０の成形面３０ａと凹部３の開口３ａとの非接触部分から優先して成形材料が引いていくためである。成形材料の量が比較的少ない場合や、成形材料の粘度が比較的低い場合等に、このような状態となり易い。このような場合にも、成形型３０の成形面３０ａと凹部３の開口３ａとの接触部分では、基材２の表面２ａに成形材料が乗り上げ、引き難くなるため、その接触部分に乗上げ部６が形成される。よって、第２の実施形態の光学素子１によれば、上述した第１の実施形態の光学素子１と同様の効果が奏される。
［第３の実施形態］
【００３３】
図１１に示されるように、第３の実施形態の光学素子１は、光学機能部１０がミラーである点で、上述した第１の実施形態の光学素子１と主に相違している。第３の実施形態の光学素子１では、成形層４の曲面４ｂ及び反射膜７にグレーティングパターンが形成されておらず、光学機能部１０がミラーとされている。このように、光学機能部１０には、グレーティングに限らず、ミラー等、様々な光学的機能を持たせることができる。よって、第３の実施形態の光学素子１によれば、上述した第１の実施形態の光学素子１と同様の効果に加え、簡易な構成のミラー素子を得ることができるという効果が奏される。
［第４の実施形態］
【００３４】
図１２、図１３及び図１４に示されるように、第４の実施形態の光学素子１は、成形層４にアライメントマーク２１が設けられている点、及び基材２に位置決め部２２が設けられている点で、上述した第１の実施形態の光学素子１と主に相違している。
【００３５】
第４の実施形態の光学素子１では、成形層４の曲面４ｂにおける矩形状の所定の領域Ｒにグレーティングパターンが形成されている。アライメントマーク２１は、グレーティングパターンのグレーティング溝の延在方向においてグレーティングパターン（すなわち、光学機能部１０）を挟むように一対設けられている。なお、所定の領域Ｒ及びアライメントマーク２１は、成形層４の曲面４ｂにおいて本体部５に対応する領域内に位置している。
【００３６】
ここでは、所定の領域Ｒに形成されたグレーティングパターンは、凹部３の深さ方向から見た場合に、凹部３の中心に対して、グレーティング溝の延在方向に垂直な方向にシフトしている。また、反射膜７は、凹部３の深さ方向から見た場合に、所定の領域Ｒに内接するように円形状に形成されている。
【００３７】
アライメントマーク２１は、成形型３０による成形層４の形成の際に、グレーティングパターンと共に形成される。従って、アライメントマーク２１は、グレーティングパターン（すなわち、光学機能部１０）に対して高精度に位置決めされた状態となっている。
【００３８】
位置決め部２２は、基材２を貫通する断面矩形状の孔であり、凹部３及び成形層４の周囲に複数設けられている。位置決め部２２は、エッチング等により、凹部３と共に形成される。従って、位置決め部２２は、凹部３に対して高精度に位置決めされた状態となっている。しかも、成形型３０による成形層４の形成によってグレーティングパターンが凹部３に対して高精度に位置決めされるので、位置決め部２２は、グレーティングパターン（すなわち、光学機能部１０）に対して高精度に位置決めされた状態となっている。
【００３９】
以上のように構成された第４の実施形態の光学素子１によれば、上述した第１の実施形態の光学素子１と同様の効果に加え、次のような効果が奏される。
【００４０】
すなわち、例えば、光入射部が設けられたパッケージに光学素子１を収容する場合に、パッケージに設けられた凸部を位置決め部２２に嵌めたり、パッケージを貫通するリードピンを位置決め部２２に挿通させたりすることで、パッケージの光入射部に対して光学機能部１０を位置決めすることができる。
【００４１】
さらに、例えば、光入射部が設けられたパッケージに、光学素子１と共に、光学機能部１０で分光された光を検出する光検出ユニットを収容する場合に、アライメントマーク２１を基準として、光学機能部１０に対して光検出ユニットを位置決めすることができる。このとき、アライメントマーク２１は、成形層４の曲面４ｂにおいて本体部５に対応する領域内に位置しているので、アライメントマーク２１には、歪みや位置ずれが生じ難くなっている。
【００４２】
また、例えば、光検出ユニットに設けられた凸部を位置決め部２２に嵌めることで、光学機能部１０に対して光検出ユニットを位置決めされた強固な分光ユニットを得ることができる。
【００４３】
また、反射膜７が所定の領域Ｒに対して部分的に形成されているので、光学機能部１０で分光された光を検出する光検出ユニットに対する入射ＮＡを制御することができる。この場合、反射膜７は、楕円形状や矩形状であってもよく、また、その一部が所定の領域Ｒからはみ出していてもよい。
【００４４】
なお、位置決め部２２は、基材２を貫通する孔に限定されず、凹部であってもよい。この場合、位置決め部２２には、パッケージに設けられた凸部、パッケージを貫通するリードピンの端部、光検出ユニットに設けられた凸部等が嵌められる。
［第５の実施形態］
【００４５】
図１５、図１６及び図１７に示されるように、第５の実施形態の光学素子１は、成形層４の乗上げ部６が平坦化されている点で、上述した第４の実施形態の光学素子１と主に相違している。
【００４６】
第５の実施形態の光学素子１では、乗上げ部６が、基材２の表面２ａに略平行な平坦面６ａを有しており、平坦面６ａに、アライメントマーク２３が設けられている。アライメントマーク２３は、所定の領域Ｒに形成されたグレーティングパターンを挟むように二対設けられている。より詳細には、アライメントマーク２３は、グレーティング溝の延在方向においてグレーティングパターン（すなわち、光学機能部１０）を挟むように一対設けられ、さらに、グレーティング溝の延在方向に垂直な方向においてグレーティングパターン（すなわち、光学機能部１０）を挟むように一対設けられている。
【００４７】
アライメントマーク２３は、成形型３０による成形層４の形成の際に、グレーティングパターン及びアライメントマーク２１と共に形成される。この場合、図１８に示されるように、成形型３０には、成形面３０ａを包囲する鍔状のリム部３１が設けられており、リム部３１の平坦面３１ａには、アライメントマーク２３を転写するためのパターンが設けられている。乗上げ部６の平坦面６ａは、リム部３１の平坦面３１ａが乗上げ部６に押圧されることにより形成され、このとき、乗上げ部６の平坦面６ａにアライメントマーク２３が形成される。従って、アライメントマーク２３は、アライメントマーク２１と同様に、グレーティングパターン（すなわち、光学機能部１０）に対して高精度に位置決めされた状態となっている。なお、成形型３０の押し当ての際には、成形型３０の成形面３０ａが凹部３の開口３ａと接触するので、乗上げ部６の厚さを容易にかつ確実に均一化することができる。
【００４８】
以上のように構成された第５の実施形態の光学素子１によれば、上述した第４の実施形態の光学素子１と同様の効果に加え、次のような効果が奏される。
【００４９】
すなわち、例えば、光入射部が設けられたパッケージに、光学素子１と共に、光学機能部１０で分光された光を検出する光検出ユニットを収容する場合に、アライメントマーク２１に加えてアライメントマーク２３を基準として、光学機能部１０に対して光検出ユニットを位置決めすることができる。このとき、アライメントマーク２３は、乗上げ部６の平坦面６ａに位置しているので、凹部３の深さ方向から見た場合に認識し易いものとなっている。
【００５０】
また、成形層４の乗上げ部６が平坦化されているので、光検出ユニット等を光学素子１上にスタックしたり、光検出ユニット等を光学素子１上に近接配置したりすることができる。さらに、乗上げ部６が平坦化される分、乗上げ部６と基材２の表面２ａとの接触面積が増加するため、基材２からの成形層４の剥離をより確実に防止することができる。
【００５１】
以上、本発明の第１〜第５の実施形態について説明したが、本発明は、上記実施形態に限定されるものではない。例えば、基材２と成形層４との界面において屈折率の整合を図り、光Ｌを基材２側（他方の側）から光学機能部１０に入射させるようにしてもよい。さらに、光Ｌを一方の側及び他方の側のいずれから入射させる場合にも、反射膜７を設けずに、光Ｌを光学機能部１０（例えば透過型グレーティング等）に透過させるようにしてもよい。
【００５２】
また、基材２の表面２ａに形成された凹部３の内面は、一続きの曲面等、曲面であってもよい。また、光学機能部１０が設けられる成形層４の所定の面は、曲面４ｂに限定されず、平坦面等であってもよい。さらに、その所定の面は、少なくとも本体部５に形成されていれば、本体部５から乗上げ部６に至っていなくてもよい。逆に、光学機能部１０は、本体部５から乗上げ部６に至っていてもよい。
【００５３】
また、乗上げ部６が凹部３を挟んで対向する場合、対向する方向は任意である。また、乗上げ部６は、凹部３を挟んで対向するように一組だけ設けられていてもよい。また、乗上げ部６は、例えば１２０°ごとに配置されるなど、凹部３を挟んで対向せずに凹部３を包囲するように複数設けられていてもよい。また、乗上げ部６は、基材２の表面２ａ上において一続きになっていてもよい。
【００５４】
また、光学素子１の製造方法において、成形型３０を成形材料に押し当てるときには、成形型３０の成形面３０ａを、凹部３の開口３ａ等、基材２に接触させなくてもよい。
【産業上の利用可能性】
【００５５】
本発明によれば、成形層の剥離や光学機能部の変形を防止することができる。
【符号の説明】
【００５６】
１…光学素子、２…基材、２ａ…表面、３…凹部、３ａ…開口、３ｂ…底面（内面）、４…成形層、４ｂ…曲面（所定の面）、５…本体部（第１の部分）、６…乗上げ部（第２の部分）、１０…光学機能部、３０…成形型、３０ａ…成形面。
【図１】
2012108457.tif 000003
【図２】
2012108457.tif 000004
【図３】
2012108457.tif 000005
【図４】
2012108457.tif 000006
【図５】
2012108457.tif 000007
【図６】
2012108457.tif 000008
【図７】
2012108457.tif 000009
【図８】
2012108457.tif 000010
【図９】
2012108457.tif 000011
【図１０】
2012108457.tif 000012
【図１１】
2012108457.tif 000013
【図１２】
2012108457.tif 000014
【図１３】
2012108457.tif 000015
【図１４】
2012108457.tif 000016
【図１５】
2012108457.tif 000017
【図１６】
2012108457.tif 000018
【図１７】
2012108457.tif 000019
【図１８】
2012108457.tif 000020
【国際調査報告】
2012108457.tif 000021
2012108457.tif 000022
2012108457.tif 000023
2012108457.tif 000024